(57)【要約】      （修正有）【課題】開口部に設けられ、複数の戸板を有する引き戸の戸板間を厚さ方向への離間させる引張り力又は押込み力に対する剛性を高め、戸板が前記引張り力又は押込み力により取り外される不具合を起こりにくくする。【解決手段】開口部たる収納家具Ｆの開口端ＳＳに設けられる複数の戸板２、３、４を具備し、これらの戸板２、３、４を、全ての戸板２、３、４が重合する全開位置Ｏと、第１の戸板２と第２の戸板３との側端部同士、及び第２の戸板３と第３の戸板４との側端部同士がそれぞれ重合し、前記開口端ＳＳを閉止する全閉位置Ｃとの間で移動可能に構成した引き戸１に、前記全閉位置Ｃに移動させた状態で、重合する側の側端部に係合部をそれぞれ設け、これら係合部が互いに係り合い戸板２、３間の厚さ方向の離間動作を規制し、また前記係合部が互いに係り合い戸板３、４間の厚さ方向の離間動作を規制する作用をそれぞれ有するように構成する。【選択図】図７
2004156358.tif 000002
【特許請求の範囲】
【請求項１】
開口部に設けられる複数枚の戸板を具備し、これらの戸板を、全ての戸板が重合する全開位置と、相隣接する戸板の側端部同士が重合し、前記開口部を閉止する全閉位置との間で移動可能に構成したものであって、
前記全閉位置に移動させた状態で互いに重合する前記戸板の側端部にそれぞれ係合部を設け、これら係合部が互いに係り合い戸板間の厚さ方向の離間動作を規制する作用を有することを特徴とする引き戸。
【請求項２】
相隣接する戸板の側端部にそれぞれ設けた前記係合部と、該係合部を設けた戸板との間に、前記係合部が係り合う相手の係合部がそれぞれ位置するようにしていることを特徴とする請求項１記載の引き戸。
【請求項３】
前記係合部を、戸板の側端部を折り返して形成していることを特徴とする請求項２記載の引き戸。
【請求項４】
前記係合部を、戸板の高さの略全域に亘って設けていることを特徴とする請求項１、２又は３記載の引き戸。
【請求項５】
前記戸板を３枚以上設けていることを特徴とする請求項１、２、３又は４記載の引き戸。
【請求項６】
開口部に設けられる複数枚の戸板を具備し、これらの戸板を、全ての戸板が重合する全開位置と、相隣接する戸板の側端部同士が重合し、前記開口部を閉止する全閉位置との間で移動可能に構成したものであって、
前記全閉位置に移動させた状態で互いに重合する前記戸板の側端部にそれぞれ係合部を設け、これら係合部が互いに係り合い戸板間の厚さ方向の離間動作を規制する作用を有する引き戸を開口部に設けていることを特徴とする収納家具。
【発明の詳細な説明】
【０００１】
【発明の属する技術分野】
本発明は、開口部に設けられ、複数枚の戸板を具備する引き戸、及びこのような引き戸を開口部に設けている収納家具に関する。
【０００２】
【従来の技術】
従来、収納具の開口部や建物内の収納空間の出入口等の開口部に設ける引き戸として、例えば、３枚の戸板を具備し、これら３枚の戸板が重合する全開位置と相隣接する戸板の側端部同士が重合し前記開口部を閉止する全閉位置との間で前記３枚の戸板を移動可能に構成し、前記全開位置に移動させた際の開口を大きくとるべく構成しているものが考えられている。（例えば特許文献１参照。）
【０００３】
【特許文献１】
特開平１０−１８４１９５号公報（第１〜６頁、第１図、第４図、第６図）
【０００４】
【発明が解決しようとする課題】
ところが、このように３枚、又はそれ以上の枚数の戸板を具備する引き戸は、引き戸全体の厚さ寸法を２枚の戸板を具備する引き戸と同程度に維持すべく、戸板の厚さ寸法が小さくなっている。さらに、３枚の戸板を用いて開口部を閉止しているので、２枚の戸板を用いるものより戸板の幅寸法が小さくできるが、戸板の幅寸法を小さくすると、戸板は高さ方向に細長く、しかも薄いものとなる。
【０００５】
このような戸板は、厚さ方向へ離間させる引張り力又は押込み力に対する剛性が十分でなくなり、閉止位置に移動させて施錠しても、戸板を外方に引張ることにより戸板が取り外され得る不具合が生じ得る。特に、全開位置に移動させた際の開口を大きくとるべく、全閉位置に移動させた際の相隣接する戸板の側端部同士が重合する部分の幅を小さくすると、戸板間に指等を挿入しやすくなり、このような不具合がより発生しやすくなる。
【０００６】
また、２枚の戸板を具備する引き戸であっても、戸板自体の厚さ方向へ離間させる引張り力又は押込み力に対する剛性が小さいものであれば、前記引張り力又は押込み力により戸板が取り外され得る不具合は同様に生じ得る。
【０００７】
本発明は、以上に述べた課題を解決し、戸板間の厚さ方向への離間を防ぐべく構成するものである。
【０００８】
【課題を解決するための手段】
すなわち本発明に係る引き戸は、開口部に設けられる複数枚の戸板を具備し、これらの戸板を、全ての戸板が重合する全開位置と、相隣接する戸板の側端部同士が重合し、前記開口部を閉止する全閉位置との間で移動可能に構成したものであって、前記全閉位置に移動させた状態で互いに重合する前記戸板の側端部にそれぞれ係合部を設け、これら係合部が互いに係り合い戸板間の厚さ方向の離間動作を規制する作用を有するように構成していることを特徴とする。
【０００９】
このようなものであれば、係合部の作用により戸板間の厚さ方向の離間動作が規制され、戸板間を厚さ方向に離間させるような引張り力又は押込み力を戸板に加えても戸板が外れないようにでき、戸板が取り外されて施錠が意味をなさなくなる不具合を解消できる。また、このような作用を有する係合部を設けることにより、相隣接する戸板の側端部同士が重合する部分の幅寸法を小さくでき、戸板全体の幅寸法を小さくして前記全開位置に移動させた際の開口部分をより大きくとることもできるようになる。さらに、相隣接する戸板の側端部同士が重合する部分に係合部を設けることにより、これら相隣接する戸板の側端部間に発生する隙間を目隠しすることもできるようになる。
【００１０】
さらに効果的に前記引張り力又は押込み力に対する剛性を増すようにするには、相隣接する戸板の側端部にそれぞれ設けた前記係合部と、該係合部を設けた戸板との間に、前記係合部が係り合う相手の係合部をそれぞれ位置させるとよい。このように構成すると、戸板の前記係合部を設けた部分の厚さ寸法が増すからである。加えて、係合部をこのように構成すると戸板間が幅方向に離間することを防ぐこともできる。また、このような構成により、戸板間の厚さ方向の隙間を小さくでき、閉止状態に移動させた状態でこの隙間に指等を掛けて戸板を取り外すことを行いにくくできる。
【００１１】
前段で述べた引き戸のさらに具体的な態様として、前記係合部を、戸板の側端部を折り返して形成しているものが挙げられる。このようなものであれば、戸板を例えば薄手の金属板を折り曲げる板金加工により形成することができるようになり、従って戸板の重量を抑えることができるようになる。また、折り返し部分が互いに掛かり合えば戸板間の厚さ方向の離間動作を規制する作用が得られるので、折り返し部分の幅寸法は小さいものでよく、このことにより戸板全体の幅寸法を小さくして、前記全開位置に移動させて全ての戸板を重合させた際の開口をより大きくとることもできるようになる。
【００１２】
さらに効果的に前記引張り力又は押込み力に対する剛性を増すようにするには、前記係合部を、戸板の高さの略全域に亘って設けてもよい。このように構成すれば、戸板のどの部分に前記引張り力又は押込み力を加えても係合部が戸板間の厚さ方向の離間動作を規制するように作用するからである。
【００１３】
このような引き戸は、特に前記戸板を３枚以上設けているものに好適に用いられる。戸板を多数設けることによって戸板の厚さ寸法及び幅寸法が小さくなり、全開位置に移動させた際の開口部分を大きくとるメリットを得ることができるとともに、このことに伴い戸板間を厚さ方向に離間させる引張り力又は押込み力に対する剛性が低下するデメリットを、係合部の戸板間の厚さ方向の離間動作を規制する作用により打ち消すことができるようになるからである。
【００１４】
さらに、このような引き戸は、収納家具に好適に用いられる。このような引き戸を用いると、係合部の戸板間の厚さ方向の離間動作を規制する作用により戸板が前記引張り力又は押込み力により取り外されることを防ぐことができ、収納物の盗難等をより効果的に防げるからである。
【００１５】
【発明の実施の形態】
以下、本発明の一実施形態を、図面を参照して説明する。
【００１６】
本実施形態に係る引き戸１は、斜視図を図１、正面図を図２及び図３にそれぞれ示すような収納家具Ｆに用いられ、第１の戸板２と、第２の戸板３と、第３の戸板４と、これら第１〜第３の戸板２〜４を互いに連動可能に連結するリンク機構ＬＩとを有する。なお、図１及び図３には、引き戸１を全閉位置Ｃに配置した状態、図２には引き戸１を全開位置Ｏに配置した状態を示している。
【００１７】
前記収納家具Ｆは、図１〜図３に示すように、少なくとも天板Ｆ１、側板Ｆ２、背板Ｆ３、及び底板Ｆ４を有し、これらによって区切られ前方に開口する収納空間Ｓを形成している。そして、開口部たるこの収納空間Ｓの開口端に前記引き戸１を設けている。前記開口端の一方の側端は、一方の側板Ｆ２の内側面の前端部たる第１開口側端Ｓ１であり、他方の側端は、他方の側板Ｆ２の内側面の前端部たる第２開口側端Ｓ２である。さらに、天板Ｆ１の下面の前端部には、戸板２〜４を左右にスライドさせるべく、図示しないレールＲを設けている。また、底板Ｆ４の上面の前端部には、図２におけるｘ−ｘ断面図を図４、図３におけるｘ−ｘ断面図を図５に示すように、戸板２〜４を左右にスライドさせるべく、レールＲを設けている。
【００１８】
第１の戸板２、第２の戸板３、及び第３の戸板４は、それぞれ略矩形板状をなし、いずれも金属板の端縁を後方に折り返して形成している。また、これら第１の戸板２、第２の戸板３、及び第３の戸板４は、前記図１〜図５に示すように、前方から順に第１の戸板２、第２の戸板３、及び第３の戸板４の順に配置していて、上端部を前記図示しないレールに係り合わせているとともに、下端部を前記レールＲに係り合わせている。さらに、第１の戸板２の第１開口側端Ｓ１側の端部には、把手２１を設けていて、この把手２１に手を掛けてスライドさせるようにしている。この把手２１は、第１ラッチ機構２１１に接続していて、第１ラッチ爪２１２を介して第１開口側端Ｓ１に係り合わせるようにしている。また、第３の戸板４の第２開口側端Ｓ２側の端部にも、把手４１を設けていて、この把手４１に手を掛けてスライドさせるようにしている。この把手４１は、第２ラッチ機構４１１に接続していて、第２ラッチ爪４１２を介して第２開口側端Ｓ２に係り合わせるようにしている。そして、全開位置Ｏにおいては、図２、図４、及び図４の第１〜第３の戸板２〜４を拡大して示した図である図６に示すように、前方から順に第１〜第３の戸板２〜４が略完全に重合するようにしている。一方、全閉位置Ｃにおいては、図３、図５、及び図５の第２の戸板付近３を拡大した図である図７に示すように、第１開口側端Ｓ１側から順に第１の戸板２、第２の戸板３、及び第３の戸板４をそれぞれ位置させている。そして、第１の戸板２の第２開口側端Ｓ２側の側端部２ａと第２の戸板３の第１開口側端Ｓ１側の側端部３ａとが重合しているとともに、第２の戸板３の第２開口側端Ｓ２側の側端部３ｂと第３の戸板４の第１開口側端Ｓ１側の側端部４ａとが重合している。なお、前記第１ラッチ機構２１１及び前記第２ラッチ機構４１１は、この種の引き戸の端部に用いられるラッチ機構として周知のものと同様に構成されている。また、前記図７において、第２の戸板３の幅方向中間部は省略して示している。
【００１９】
前記リンク機構ＬＩは、この種の引き戸に用いられるものとして周知のものと略同様に構成され（例えば特願２００１−３５５３５７号を参照）、前記図２〜図５に示すように、第１リンクメンバ５と、第２リンクメンバ６とを有する。
【００２０】
第１リンクメンバ５は、一端部を第１の戸板２に軸部材を介して固定しているとともに、長手方向中間部に、ボールベアリングを用いて形成した第１転動輪５１を設けていて、この第１転動輪５１を第２の戸板３の高さ方向中間部に設けた第１案内溝３ｘに挿入し、前記第１転動輪５１を高さ方向に移動可能にしている。そして、他端部にボールベアリングを用いて形成した第２転動輪５２を設けていて、この第２転動輪５２を第３の戸板４の上部に設けた第２案内溝４ｘに挿入し、前記第２転動輪５２を高さ方向に移動可能にしている。
【００２１】
第２リンクメンバ６は、一端部を前記第１転動輪５１の回転軸５１ａの延長線上に設けた軸部材に接続していて、他端部を軸部材を介して第３の戸板４に固定している。
【００２２】
そして、このリンク機構ＬＩは、前記全開位置Ｏにおいて前記第１の戸板２、前記第２の戸板３、及び前記第３の戸板４を、前記軸部材を越えて移動可能にしている。具体的には、前記第１リンクメンバを前記第２の戸板３及び前記第３の戸板４に向かう方向に開口したチャネル状の部材を用いて構成しているとともに、前記軸部材が前記第２の戸板３に当たらないようにしている。
【００２３】
さらに本実施形態では、前記図１〜図５に示すように、第１〜第３の戸板２〜４を前期全閉位置Ｃに固定するロック機構ＬＯを設けている。具体的には、前記第１リンクメンバ５に突起５３を設けているとともに、第１の戸板２に錠前ＬＯ１を設けている。この錠前ＬＯ１は、図示しないキーにより施錠すると、図示しない固定片が突出してこの固定片が前記第１リンクメンバ５の突起５３と係り合い、前記第１リンクメンバ５の運動を規制するようにしている。
【００２４】
しかして本実施形態では、前記図５及び前記図７に示すように、前記全閉位置Ｃに移動させた状態で互いに重合する戸板の側端部、すなわち第１の戸板２の第２開口側端Ｓ２側の側端部２ａに第１係合部７ａを設けるとともに、第２の戸板３の第１開口側端Ｓ１側の側端部３ａにも第２係合部７ｂを設け、これら第１係合部７ａと第２係合部７ｂとが互いに係り合い、第１の戸板２と第２の戸板３との間の厚さ方向の離間動作を規制する作用を有するように構成している。また、第２の戸板３の第２開口側端Ｓ２側の側端部３ｂにも第３係合部７ｃを設けるとともに、第３の戸板４の第１開口側端Ｓ１側の側端部４ａにもさらに第４係合部７ｄを設け、これら第３係合部７ｃと第４係合部７ｄともまた互いに係り合い、第２の戸板３と第３の戸板４との間の厚さ方向の離間動作を規制する作用を有するように構成している。
【００２５】
具体的には、第１係合部７ａは、第１の戸板２の第２開口側端Ｓ２側の側端部２ａを利用して構成していて、前記第２開口側端Ｓ２に対向する折り返し側面７ａ１と、前記第１開口側端Ｓ１に向かって延びる折り返し端７ａ２とを有する。一方、第２係合部７ｂは第２の戸板３の第１開口側端Ｓ１側の側端部３ａの前面に、第２開口側端Ｓ２側に向けて開口するチャネル状の部材を間欠的に複数個取り付けて形成していて、前記第１開口側端Ｓ１に対向する折り返し側面７ｂ１と、前記第２開口側端Ｓ２に向かって延びる折り返し端７ｂ２とを有する。そして、全閉位置Ｃにおいて、第１係合部７ａと第１の戸板２との間に第２係合部７ｂが位置するとともに、第２係合部７ｂと第２の戸板３との間に第１係合部７ａが位置するようにしている。すなわち、前記第１係合部７ａの折り返し端７ａ２と前記第２係合部７ｂの折り返し側面７ｂ１とが対向しているとともに、前記第２係合部７ｂの折り返し端７ｂ２と前記第１係合部７ａの折り返し側面７ａ１とが対向している。なお、本実施形態では、前記第１係合部７ａには、その内面に補強材２１を設けている。
【００２６】
また、第３係合部７ｃは第２の戸板３の第２開口側端Ｓ２側の側端部３ｂを利用して形成していて、前記第２開口側端Ｓ２に対向する折り返し側面７ｃ１と、前記第１開口側端Ｓ１に向かって延びる折り返し端７ｃ２とを有する。一方、第４係合部７ｄは第３の戸板４の第１開口側端Ｓ１側の側端部４ａの前面に、第２開口側端Ｓ２側に向けて開口するチャネル状の部材を間欠的に複数個取り付けて形成していて、前記第１開口側端Ｓ１に対向する折り返し側面７ｄ１と、前記第２開口側端Ｓ２に向かって延びる折り返し端７ｄ２とを有する。そして、全閉位置Ｃにおいて、第３係合部７ｃと第２の戸板３との間に第４係合部７ｄが位置するとともに、第４係合部７ｄと第３の戸板４との間に第３係合部７ｃが位置するようにしている。すなわち、前記第３係合部７ｃの折り返し端７ｃ２と前記第４係合部７ｄの折り返し側面７ｄ１とが対向しているとともに、前記第４係合部７ｄの折り返し端７ｄ２と前記第３係合部７ｃの折り返し側面７ｄ１とが対向している。なお、本実施形態では、前記第３係合部７ｃには、その内面に補強材３１を設けている。また、前記第２係合部７ｂと前記第４係合部７ｄとは、互いに高さ位置が重ならないように配置している。
【００２７】
次に、全閉位置Ｃにおいて、前記ロック機構ＬＯによりこれらの戸板２〜４の幅方向への移動が規制された状態において、これら第１〜第３の戸板２〜４を互いに厚さ方向に離間させようとする力が働いた際の各部の作用を、第１の戸板２に前方に離間させる力が働いた場合を例にとって述べる。
【００２８】
第１の戸板２を前方に移動させようとすると、この第１の戸板２の側端部に位置する第１係合部７ａの折り返し端７ａ２が前記第２の戸板３の側端部に位置する第２係合部７ｂの折り返し端７ｂ２に当たる。そして、第１の戸板２はこれ以上前方移動できなくなる。すなわち、前記第１係合部７ａと前記第２係合部７ｂとは互いに係り合って、前記第１の戸板２と前記第２の戸板３とを厚さ方向に離間することを規制する作用を有する。
【００２９】
第３の戸板４を後方に移動させようとする力が働いた場合も同様に、前記第３係合部７ｃと前記第４係合部７ｄとが互いに係り合って、前記第２の戸板３と前記第３の戸板４とを厚さ方向に離間することを規制する。
【００３０】
本発明に係る引き戸１は、以上のように、全閉位置Ｃに移動させた状態で互いに重合する前記第１の戸板２の第２開口側端Ｓ２側の側端部２ａと前記第２の戸板３の第１開口側端Ｓ１側の側端部３ａとにそれぞれ第１係合部７ａ、第２係合部７ｂを設け、これら第１係合部７ａと第２係合部７ｂとが互いに係り合い、第１の戸板２〜第２の戸板３間の厚さ方向の離間動作を規制する作用を有する。一方、全閉位置Ｃに移動させた状態で互いに重合する前記第２の戸板３の第２開口側端Ｓ２側の側端部２ｂと前記第３の戸板４の第１開口側端Ｓ１側の側端部４ａとにそれぞれ第３係合部７ｃ、第４係合部７ｄを設け、これら第３係合部７ｃと第４係合部７ｄとが互いに係り合い、第２の戸板３〜第３の戸板４間の厚さ方向の離間動作を規制する作用を有する。従って、外部から戸板２〜４間を厚さ方向に離間させる引張り力又は押込み力を第１〜第３の戸板２〜４に加えても第１〜第３の戸板２〜４が外れないようにできる。さらに、これら第１〜第４係合部７ａ〜７ｄは、相隣接する戸板の側端部間に発生する隙間を目隠しする作用も有する。
【００３１】
特に、本実施形態では、引き戸１に第１の戸板２、第２の戸板３、及び第３の戸板４の３枚の戸板を設けているので、戸板を２枚だけ設ける従来の引き戸に比べて戸板の幅寸法を小さくでき、全開位置に移動させた際の開口をより大きくできる。しかも、戸板の幅寸法を小さくし、厚さ寸法も小さくすることに伴い戸板間を厚さ方向に離間させる方向の引張り力又は押込み力に対する剛性が低下するデメリットを、上述した構成により打ち消すことができる。
【００３２】
なお、本発明は以上に述べた実施形態に限られない、
例えば、収納家具の開口部だけでなく、建物の窓等に取り付ける雨戸や、物置等の出入口の扉等、種々の開口部に本発明に係る引き戸を設けてもよい。
【００３３】
また、戸板を４枚以上設けてもよく、戸板を２枚だけ設けた引き戸を同様に構成してもよい。
【００３４】
さらに、係合部の形状は上述した実施形態に述べた以外のものであってもよい。例えば、一の戸板の側端部に、一開口端に対向する折り返し側面を設け、この折り返し側面に高さ方向に延びるスリットをさらに設けるとともに、全閉位置においてこの戸板と側端部同士が重合する他の戸板の側端部を折り返して他開口端に対向する折り返し側面と前記一開口端に向かって延びる折り返し端を設け、前記スリットに前記折り返し端を係り合わせる態様が考えられる。また、板状をなる戸板本体の側端部に、少なくとも戸板本体の側面に対向する板状をなす被係合部と、被係合部の先端から戸板本体に向かって延びる係合部とを有する係合具を設け、全閉位置においてこれら係合具を互いに係り合わせる態様も考えられる。
【００３５】
加えて、係合部を戸板の高さの略全域に亘って設けてもよい。このようなものであれば、戸板のどの部分に戸板間を厚さ方向に離間させる引張り力を加えても係合部が戸板間の厚さ方向の離間動作を規制するように作用し、さらに効果的に前記引張り力に対する剛性を増すことができる。
【００３６】
【発明の効果】
本発明に係る引き戸は、全閉位置に移動させた状態で互いに重合する前記戸板の側端部にそれぞれ係合部を設け、これら係合部が互いに係り合い戸板間の厚さ方向の離間動作を規制する作用を有するように構成しているので、係合部の作用により戸板間の厚さ方向の離間動作が規制され、戸板間を厚さ方向に離間させるような引張り力又は押込み力を戸板に加えても戸板が外れないようにできる。すなわち、戸板が取り外されて施錠が意味をなさなくなる不具合を解消できる。また、このような作用を有する係合部を設けることにより、相隣接する戸板の側端部同士が重合する部分の幅寸法を小さくできる。すなわち、戸板全体の幅寸法を小さくして前記全開位置に移動させた際の開口部分をより大きくとることもできる。そして、このように相隣接する戸板の側端部同士が重合する部分に係合部を設けることで、相隣接する戸板の側端部間に発生する隙間を目隠しすることもできる。
【図面の簡単な説明】
【図１】本発明の一実施形態に係る収納家具の引き戸を全閉位置に位置付けた状態の斜視図。
【図２】同実施形態に係る収納家具の引き戸を全開位置に位置付けた状態の正面図。
【図３】同実施形態に係る収納家具の引き戸を全閉位置に位置付けた状態の正面図。
【図４】図２におけるｘ−ｘ断面図。
【図５】図３におけるｘ−ｘ断面図。
【図６】図４における要部の拡大図。
【図７】図５における要部の拡大図。
【符号の説明】
Ｆ…収納家具
１…引き戸
２…第１の戸板
２ａ…第１の戸板の側端部
３…戸板
３ａ、３ｂ…第２の戸板の側端部
４…戸板
４ａ…第３の戸板の側端部
７ａ〜７ｄ…第１〜第４係合部
【図１】
2004156358.tif 000003
【図２】
2004156358.tif 000004
【図３】
2004156358.tif 000005
【図４】
2004156358.tif 000006
【図５】
2004156358.tif 000007
【図６】
2004156358.tif 000008
【図７】
2004156358.tif 000009